(57)【要約】【課題】  テレビ受信用増幅装置に，アナログ放送波の信号だけでなく，地上ディジタル放送信号のように，同一方向から電界強度の大きな信号が入力されることで，前記増幅装置の入力レベルが高くなり，受信画面に妨害が発生する。【解決手段】  前記入力端子と出力端子との間には，特定の信号を通過する第１の伝送経路と，前記伝送経路を通過しない信号を通過する第２の伝送経路と，第１及び第２の分岐手段とを具備し，前記第１の伝送線路は，前記第１の分岐手段の出力端と前記第２の分岐手段の入力端との間に介在させ，特定の信号を入力端子から出力端子に通過させると共に，前記第２の伝送線路は，前記第１の分岐手段の分岐端と前記第２の分岐手段の分岐端との間に介在させ，前記特定の信号以外の信号を入力端子から出力端子に通過させるフィルタ装置。該フィルタ装置を備えた増幅装置及び受信システム。【選択図】  図１
2006041967.tif 000002
【特許請求の範囲】
【請求項１】
フィルタ装置において，
入力端子と出力端子とを有し，前記入力端子と出力端子との間には，第１の分岐手段と，特定の信号を通過させるフィルタ手段を備えた第１の伝送経路と，
前記特定の信号を含む所定範囲の信号を通過させる第２の伝送経路と，
第２の分岐手段と，を具備し，
前記第１の伝送経路は，前記第１の分岐手段の出力端と前記第２の分岐手段の入力端との間に介在させ，特定の信号を入力端子から出力端子に通過させると共に，
前記第２の伝送線路は，前記第１の分岐手段の分岐端と前記第２の分岐手段の分岐端との間に介在させ，前記特定の信号を含む所定範囲の信号を入力端子から出力端子に通過させるように構成したことを特徴としたフィルタ装置。
【請求項２】
前記第２の伝送経路には，前記第１の伝送経路のフィルタ手段を通過しない信号を通過させるフィルタ手段を備え，前記特定の信号以外の信号を入力端子から出力端子に通過させるように構成したことを特徴とした請求項１に記載のフィルタ装置。
【請求項３】
前記第１の伝送経路と前記第２の伝送経路のうち，少なくとも一方がユニット化されて構成されており，前記フィルタ装置から着脱自在に固着可能に構成したことを特徴とした請求項１又は請求項２に記載のフィルタ装置。
【請求項４】
請求項１乃至請求項３の何れかに記載のフィルタ装置を備えたことを特徴としたテレビ受信用増幅装置。
【請求項５】
請求項１乃至請求項３の何れかに記載のフィルタ装置若しくは請求項４に記載のテレビ受信用増幅装置を用いたことを特徴としたテレビ受信システム。
【発明の詳細な説明】
【技術分野】
【０００１】
本発明は，主にテレビ受信システムに利用されるフィルタ装置に関し，詳しくはそのフィルタ装置若しくは当該フィルタ装置を具備した増幅装置，及びこれらの装置を用いたテレビ受信システムに関する。
【背景技術】
【０００２】
従来において，例えば特定の信号であるＵＨＦ帯の５０６〜５１２ＭＨｚの信号と，５６０ＭＨｚ以上の，近接する通過周波数帯域を受信するような場合，５０６〜５１２ＭＨｚの信号を通過帯域とする通過帯域フィルタ（以下ＢＰＦと表示する）と，５６０ＭＨｚ以上の信号を通過帯域とする高域フィルタ（以下ＨＰＦと表示する）によって混合するフィルタ装置がある。（例えば特許文献１参照）
また，前記５６０ＭＨｚ以上の信号だけでなく，特定の信号より低い周波数帯の信号もある場合は，前記特定の信号以外の信号を通過させるバンドエルミネイトフィルター（以下ＢＥＰと表示する）と混合するようフィルタ装置を構成するのが一般的であった。
【０００３】
【特許文献１】実公昭６３−１４５７号公報
【発明の開示】
【発明が解決しようとする課題】
【０００４】
ところが近年において，従来のアナログ放送の特定の信号を受信している地域において，送信アンテナを地上アナログ放送の送信塔と同一方向若しくは同一送信塔とする，地上ディジタル放送が始まり，地上アナログ放送と地上ディジタル放送とのサイマル放送が行われるようになる。これによって特定の信号である地上アナログ放送と，当該特定の信号に近接する周波数帯域を利用した地上ディジタル放送との信号が同一方向から到来することになり，受信チャンネル数が増えることになる。
更に，地上ディジタル放送においては，従来の地域放送を超えた広範囲のサービスエリアを対象とするために，該放送の信号を送信する送信塔が，地域放送を目的とする従来の地上アナログ放送の信号を送信する送信塔より高くなり，また送信チャンネルも増えることから，前記特定の信号である地上アナログ放送を受信していた地域においては，地上ディジタル放送の電力は，従来の地上アナログ放送の信号に比べて強くなる。また，将来的には，地上アナログ放送は終了する事になっている。
【０００５】
このような信号を伝送するにあたって，従来のフィルタ装置によると，特定の信号の周波数帯は低損失で通過させ，特定の信号以外の周波数帯も低損失で通過させて，合成するフィルタ装置が提供されているが，例えば特定の信号以外の周波数帯のレベルを調整して通過させるよう必要が生じた場合であっても，レベル調整ができなかった。
【０００６】
また，地上アナログ放送の特定の信号を受信するシステムであって，例えば山の陰や建造物の陰のように，到来電波の弱い地域において，前記特定の信号を受信するためのテレビ受信用増幅装置を設置しているテレビ受信システムでは，当該テレビ受信用増幅装置には，従来の地上アナログ放送波の信号だけでなく，多チャンネルの地上ディジタル放送の信号が新たに入力されることによって，前記従来のようなフィルタ装置を備えたテレビ受信システムでは，前記テレビ受信用増幅装置の入力レベルが高くなることで，当該テレビ受信用増幅装置で増幅される信号が歪み，受信画面に妨害が発生すると言った問題の発生が考えられる。
この対策として，例えば地上アナログ放送の特定の信号のみを通過するバンドパスフィルタからなるフィルタ装置を接続して対策する方法も考えられるが，地上アナログ放送から地上ディジタル放送に変更したい場合や，地上アナログ放送が終了した時点において，改めてフィルタの変更工事をしないと，地上ディジタル放送が見ることができないといった問題があった。
そこで本発明においては，こうした問題点を解決するためになされたものであり，
その目的は，特定の信号の周波数帯は低損失で通過させ，特定の信号以外の周波数帯は所定量だけレベルを下げて通過させるさせるフィルタ装置を提供することにある。
他の目的は，同一方向から到来する信号の周波数帯であって，特定の信号の周波数帯は低損失で通過させ，特定の信号以外の周波数帯は所定量だけレベルを下げて通過させるフィルタ装置を提供することにある。
特定の信号を通過させる伝送経路と特定の信号を除く信号を通過させる伝送経路の調整を容易とするフィルタ装置を提供することにある。
特定の信号と特定の信号を除く信号の組み合わせに対して，汎用性の高いフィルタ装置を提供することにある。
他の目的は，特定の信号の周波数帯は低損失で通過させ，特定の信号以外の周波数帯は所定量だけレベルを下げて通過させるさせるフィルタ装置を内蔵させたテレビ受信用増幅装置を提供することに有る。
他の目的は，特定の信号の周波数帯は低損失で通過させ，特定の信号以外の周波数帯は所定量だけレベルを下げて通過させるさせる簡単な構成のテレビ受信システムを提供することに有る。
【課題を解決するための手段】
【０００７】
上記課題を解決するために，請求項１の発明は，フィルタ装置において，入力端子と出力端子とを有し，前記入力端子と出力端子との間には，第１の分岐手段と，特定の信号を通過させるフィルタ手段を備えた第１の伝送経路と，前記特定の信号を含む所定範囲の信号を通過させる第２の伝送経路と，第２の分岐手段と，を具備し，前記第１の伝送経路は，前記第１の分岐手段の出力端と前記第２の分岐手段の入力端との間に介在させ，特定の信号を入力端子から出力端子に通過させると共に，前記第２の伝送線路は，前記第１の分岐手段の分岐端と前記第２の分岐手段の分岐端との間に介在させ，前記特定の信号を含む所定範囲の信号を入力端子から出力端子に通過させるように構成される。
【０００８】
請求項２の発明は，前記第２の伝送経路には，前記第１の伝送経路のフィルタ手段を通過しない信号を通過させるフィルタ手段を備え，前記特定の信号以外の信号を入力端子から出力端子に通過させるように構成される。
【０００９】
請求項３の発明は，請求項１又は請求項２に記載のフィルタ装置において，前記第１の伝送経路と前記第２の伝送経路のうち，少なくとも一方がユニット化されて構成されており，前記フィルタ装置から着脱自在に固着可能に構成した。
【００１０】
請求項４の発明は，請求項１乃至請求項３の何れかに記載のフィルタ装置を備えたテレビ受信用増幅装置を構成した。
【００１１】
請求項５の発明は，請求項１乃至請求項３の何れかに記載のフィルタ装置若しくは請求項４に記載のテレビ受信用増幅装置を用いてテレビ受信システムを構成した。
【発明の効果】
【００１２】
以上詳述したように，請求項１の発明によれば，フィルタ装置において，入力端子と出力端子とを有し，前記入力端子と出力端子との間には，前記第１の分岐手段と，特定の信号を通過させるフィルタ手段を備えた第１の伝送経路と，前記特定の信号を含む所定範囲の信号を通過させる第２の伝送経路と，第２の分岐手段と，を具備し，前記第１の伝送経路は，前記第１の分岐手段の出力端と前記第２の分岐手段の入力端との間に介在させ，特定の信号を入力端子から出力端子に通過させると共に，前記第２の伝送線路は，前記第１の分岐手段の分岐端と前記第２の分岐手段の分岐端との間に介在させ，前記特定の信号を含む所定範囲の信号を入力端子から出力端子に通過させるように構成したので，
第１の伝送経路と第２の伝送経路とは，分岐回路の逆結合によって，相互に干渉することが無くなり，調整が容易にできることができ，延いては製品の納品を早くすることが可能になると共に，延いては製品コスト削減が可能となる。
更に，特定の信号の周波数帯は低損失で通過させ，前記特定の信号を含む所定範囲の周波数帯の信号は分岐回路の分岐量を所定レベルにすることによって，適宜レベル調整して通過させることができるので，特定の信号に対して，該特定の信号を含む所定範囲の信号レベルを揃えたり下げたり，相対的に可変できるフィルタ装置を提供できる。
【００１３】
請求項２の発明によれば，前記第２の伝送経路には，前記第１の伝送経路のフィルタ手段を通過しない信号を通過させるフィルタ手段を備え，前記特定の信号以外の信号を入力端子から出力端子に通過させるように構成したので，
第１の伝送経路と第２の伝送経路とは，分岐回路の逆結合によって，相互に干渉することが無くなり，調整が容易にできることができることから，製品の納品を早くすることが可能になると共に，延いては製品コスト削減が可能となる。
更に，特定の信号の周波数帯は低損失で通過させ，前記特定の信号以外の周波数帯の信号は分岐回路の分岐量を所定レベルにすることによって，適宜レベルを低減させて通過させることができるので，特定の信号に対して，該特定の信号以外の信号レベルを揃えたり下げたり，相対的に可変できるフィルタ装置を提供できる。
【００１４】
請求項３の発明によれば，請求項１又は請求項２に記載のフィルタ装置において，前記第１の伝送経路と前記第２の伝送経路のうち，少なくとも一方がユニット化されて構成されており，前記フィルタ装置から着脱自在に固着可能に構成したので，
例えばこのフィルタ装置を使用する地域において，特定の信号と特定の信号以外の信号が夫々異なる場合でも，基本的に必要に応じてそれぞれの信号に対応できるようにユニット化された伝送経路を用意して調整するだけでよく，全ての地域に対応できるように多品種のフィルタ装置を用意する必要も無く，素早く需要に合わせて対応可能なフィルタ装置を提供できるのである。
【００１５】
請求項４の発明によれば，請求項１乃至請求項３の何れかに記載の前記フィルタ装置を備えさせてテレビ受信用増幅装置を構成したので，
特定の信号である地上アナログ放送を受信するシステムであって，山の陰や，建造物の陰などのように到来電波の弱い地域において，前記特定の信号を受信するためのテレビ受信用増幅装置を設置しているテレビ受信システムでは，当該システムを設置している地域において，新たな放送である例えば地上ディジタル放送のような放送が開始され，当該放送の信号が従来の地上アナログ放送と近接した周波数帯を用い，前記地上アナログ放送の電波と同一方向から到来し，加えて地上アナログ放送よりレベルが高い信号を受信する必要が生じた場合であっても，従来の地上アナログ放送波の信号は通過損失を出来るだけ少なく，更に，電界強度が大きく，波数も多い地上ディジタル放送の信号は，分岐手段の結合量によってテレビ受信用増幅装置への最大入力レベル以下になるよう調整され入力されることによって，前記テレビ受信用増幅装置の入力レベルが最適化されることで，当該テレビ受信用増幅装置で増幅される信号が歪み，受信画面に妨害が発生する問題をなくすることが出来る。
【００１６】
請求項５の発明によれば，請求項１乃至請求項３の何れかに記載のフィルタ装置若しくは請求項４に記載のテレビ受信用増幅装置を用いてテレビ受信システムを構成したので，
特定の信号である地上アナログ放送を受信するシステムであって，山の陰や，建造物の陰などのように到来電波の弱い地域において，前記特定の信号を受信するためのテレビ受信用増幅装置を設置しているテレビ受信システムでは，当該システムを設置している地域において，新たな放送である例えば地上ディジタル放送のような放送が開始され，当該放送の信号が従来の地上アナログ放送と近接した周波数帯を用い，前記地上アナログ放送の電波と同一方向から到来し，加えて地上アナログ放送よりレベルが高い信号を受信する必要が生じた場合であっても，従来の地上アナログ放送波の信号は通過損失を出来るだけ少なく，更に，電界強度が大きく，波数も多い地上ディジタル放送の信号は，分岐手段の結合量によってテレビ受信用増幅装置への最大入力レベル以下になるよう調整され入力されることによって，前記テレビ受信用増幅装置の入力レベルが最適化されることで，テレビ画像に妨害のないテレビ受信システムを提供できる。
【発明を実施するための最良の形態】
【００１７】
以下に，本発明を具体化した実施形態の例を，図面を基に詳細に説明する。図１（Ａ）は本発明に示すフィルタ装置の実施例を示すブロック図，（Ｂ）は本発明に示すフィルタ装置の異なる実施例を示すブロック図，図２は図１（Ａ）に示すフィルタ装置の具体的構成例を示す。図３は本発明に係るフィルタ装置の周波数特性を示ス。図４は本発明のテレビ受信用増幅装置のブロック図を示す。図５は本発明に係るフィルタ装置を用いたテレビ受信システムを示している。図６は本発明に係るフィルタ装置の第２の実施形態を示すブロック図である。
【実施例】
【００１８】
図１（Ａ）において，３は本発明の実施例のフィルタ装置であり，３ａは入力端子，３ｂは出力端子である。
入力端子３ａには分岐手段１０ａの入力端子（図中Ｉｎｐｕｔと表示される。以下Ｉｎｐｕｔと表示する。）が，出力端子３ｂには分岐手段１０ｂのＩｎｐｕｔが接続されるように配設されている。また，前記分岐回路１０ａの出力端子（図中Ｏｕｔｐｕｔと表示される。以下Ｏｕｔｐｕｔと表示する。）と前記分岐回路１０ｂのＯｕｔｐｕｔとの間には，３０ａに示す特定の信号を通過帯域とするフィルタ手段（例えばバンドパスフィルタ（ＢＰＦ））３１から構成される第１の伝送経路が接続されている。
更に，前記分岐回路１０ａの分岐出力（図中Ｂｒと表示される。以下Ｂｒと表示する。）と前記分岐回路１０ｂのＢｒとの間には，３０ｂに示す前記特定の信号以外の信号を通過するよう構成されたフィルタ手段（例えばバンドイルミネーションフィルタ（ＢＥＰ））３３から構成される第２の伝送経路が接続されている。
尚，本発明の実施例では，前記分岐手段１０ａ及び１０ｂはフェライトにコイルを巻きまわしてなる分岐回路から構成されている。
【００１９】
次に，このフィルタ装置の動作について図１及び図２に基づいて具体的に説明する。特定の信号として例えば信号レベルの低いＵＨＦ帯のｃｈ１９と，特定の信号以外の信号として例えば信号レベルの強いＵＨＦ帯のｃｈ１３〜１７及びｃｈ２４以上とが，入力端子３ａに入力される。（以下  ＵＨＦ帯は省略する）
ｃｈ１９は，分岐手段１０ａを通過した後に，このチャンネルを通過帯域とするＢＰＦ３１で構成された第１の伝送経路３０ａを通過する。更に第１の伝送経路３０ａを通過した後に分岐手段３０ｂを介して出力端子３ｂに出力される。
【００２０】
次に第２の伝送経路３０ｂの説明をする。入力端子３ａに入力されたｃｈ１３〜１７及びｃｈ２４以上の信号（所謂，特定の信号以外の信号）は，分岐手段１０ａの分岐端子からフィルタ手段３３に入力される。このときの信号は分岐手段１０ａの結合量だけ減衰されている。この第２の伝送経路３０ｂを通過した後に，分岐手段１０ｂ分岐端子を介して出力端子３０ｂから出力される。
前記フィルタ手段３３は例えばＢＥＦで構成されており，前記特定の信号を阻止すると共に，当該信号以外の信号であるｃｈ１３〜１７及びｃｈ２４以上を通過するフィルタである。
【００２１】
このようにして，第１の伝送経路３０ａを通過したｃｈ１９と，分岐手段１０ａの結合量に対応してレベルを下げられ，第２の伝送経路３０ｂを通過したｃｈ１３〜ｃｈ１７及びｃｈ２４以上の信号は，更に分岐手段１０ｂにおいてお互いに合成される，このとき第２の伝送経路を通過した信号は更に分岐手段の結合量分だけレベルを下げられて出力端子３ｂに出力される。
これによって，例えばレベルの低い特定の信号であるｃｈ１９と，レベルが高い特定の信号以外の信号であるｃｈ１３〜ｃｈ１７及びｃｈ２４以上の信号とを伝送する場合などにおいて，必要に応じてｃｈ１３〜ｃｈ１７及びｃｈ２４以上の信号を，前記分岐手段１０ａ，１０ｂによって，特定の信号のレベル（この場合ｃｈ１９）にレベルを揃えたり，特定の信号のレベルより下げたりできるように伝送可能なフィルタ装置が提供できるのである。
尚，図２にはフィルタ手段３１と３３の具体的な実施形態を示しており，Ｃ１〜Ｃ６はコンデンサーであり，Ｌ１〜Ｌ６はコイルである。
【００２２】
図３に，上記実施例のフィルタ装置３の周波数特性を示す。この図において，１１は第１の伝送経路３０ａの周波数特性を示し，１２は第２の伝送経路３０ｂの周波数特性を示している。
このように本発明のフィルタ装置３によれば，前記第１の伝送経路３０ａを構成するＢＰＦ３１と，前記第２の伝送経路３０ｂを構成するＢＥＰ３３とが，前記分岐手段１０ａと１０ｂの逆結合特性によって相互に干渉することが無く合成できるので，各フィルタの調整が容易で，且つ，特性のよいフィルタ装置が提供できるのである。
尚，本発明の実施例においては，第１の伝送経路３０ａのフィルタ手段３１はＢＰＦで構成され，第２の伝送経路のフィルタ手段３３はＢＥＰで構成された例を示したが，例えばフィルタ手段３３はトラップ回路でも良いなど，特にこの実施例に限定されるものではなく。
【００２３】
次に，本発明のフィルタ装置３の異なる実施例について説明する。尚，図１（Ａ）に示す実施例と同様の構成要素については同一符号を付与し，詳細な説明は省略する。
前述の実施例ではフィルタ手段３１及び３３を，分岐手段１０ａ及び１０ｂ等と同様に同一の本体基板上に配設した例を示したが，図１（Ｂ）に示す如く，例えば前記フィルタ手段（ＢＰＦ）３１をユニット化して，前記本体基板とは別体の基板に構成したものである。このフィルタユニット３１は，入力側と接続側に接続端子を備えさせると共に，前記本体基板側にも，前記接続端子に対向する位置に，該接続端子に対応する接続端子を備えさせることによって，前記フィルタユニット３１を着脱自在に固着するように構成したものである。
この実施例によれば，狭くて限定された帯域を有する特定の信号を通過させるために，非常に難しい調整を行う必要があるＢＰＦ３１を，必要と思われる地域に対応させて予め何種類か生産しておいて，夫々個別に調整を済ませておき，特定の信号以外の信号を通過させるフィルタ手段は，本体基板上で個別に調整することによって，フィルタの数だけ本体基板を生産することも必要が無くなり，生産の合理化が可能となり，延いては製品コストの低減が可能と成るのである。
尚，この実施例ではフィルタ手段３１をユニット化した例を示したが，フィルタ手段３３もユニット化しても良いなど，実施例に限定されるものではない。
更に図４に示す実施形態の如く，本発明に係るフィルタ装置３と増幅回路４０ａ，４０ｂとを配設してテレビ受信用増幅装置４０を構成しても良い。尚，増幅回路の構成は実施例を示すためのものでありこの実施例に限定されるものではない。
【００２４】
次に上記フィルタ装置を備えたテレビ受信システム図１０３について図５を用いて説明する。この図５において，１０１は従来からあるアナログ放送用のＵＨＦ帯の送信塔，１０２は新しく設置された地上波デジタル放送用のＵＨＦ帯の送信塔である。
１はＶＨＦアンテナであり伝送線２ａを介して，テレビ受信用増幅装置４のＶＨＦ入力端子１ａに入力されている。６はＵＨＦアンテナであり，伝送線２ｂ，本発明のフィルタ装置３を介して，テレビ受信用増幅装置４のＵＨＦ入力端子６ａに入力されている。
【００２５】
前記テレビ受信用増幅装置４に入力されたそれぞれの信号は所定レベルまで増幅された後，混合されてから出力される。出力された信号は伝送線２ｃ，分配器５，伝送線２ｄ，テレビ端子７ａ，伝送線２ｅ，電源装置８を介してテレビ受像機９に接続されている。
【００２６】
次に，このテレビ受信システム１０３について具体的に説明する。送信塔１０１は地上アナログ放送用の送信塔であり，ＵＨＦ帯を利用した地域放送を行っている。本発明のテレビ受信システムは，この地上アナログ放送のサービスエリアから少し離れた地域や，山や建築物等の陰となる地域のように受信電界強度の弱い地域で，前記アナログ放送を受信するためのシステムである。
地上アナログ放送の送信塔１０１からは，例えばＵＨＦ帯のｃｈ１９が送信されている。この信号を受信するために，上述に示すような本来のサービスエリアではない地域や，山陰等の弱電界地域においては，テレビ受信用増幅装置４を設置して，目的とするアナログ放送を受信している。電波はＵＨＦ受信用アンテナ６で受信された後に，伝送線２ｂを介してテレビ受信用増幅装置４のＵＨＦ入力端子６ａから当該増幅装置に入力され適宜増幅されてからテレビ受像機９に接続されている。
【００２７】
ところが，図１の１０２に示すように，同一方向若しくは同一送信塔から，地上アナログ放送の周波数帯と近接した周波数帯を使用した地上ディジタル放送のような放送波が新しく送信されるようになった場合，前記地上アナログ放送の信号に加えて，地上ディジタル放送の信号分のチャンネル数が増える。更に地上ディジタル放送の特長である広範囲な地域へのサービスを可能にするため，地上波デジタル放送の送信塔１０２は，地上アナログ放送の送信塔１０１の高さより高く設置されることもあり，受信点における地上ディジタル放送の信号レベルは，地上アナログ放送に比べてより強いものとなる。
【００２８】
このような地上アナログ放送の信号と地上波デジタル放送の信号は，ＵＨＦテレビアンテナ６によって受信され，伝送線２ｂを介してフィルタ装置３の入力端子３ａに入力される。
入力された信号のうち，特定の信号である地上アナログ放送の信号（本発明の実施例では例えばｃｈ１９）は，第１の伝送経路３０ａのＢＰＦ３１を通過する。
また，前記特定の信号以外の信号である地上ディジタル放送の信号（本発明の実施例では例えばｃｈ１３〜１７及びｃｈ２４）は，第２の伝送経路３０ｂのＢＥＦ３３を通過する。尚，本発明の実施例における第２の伝送経路３０ｂは，特定の信号である地上アナログ放送のｃｈ１９を受信するために，地上ディジタル放送の信号であって前記特定の信号に妨害を与える隣接チャンネルのｃｈ１８は通過しないよう構成されている。
そして，第１の信号経路３０ａと第２の信号経路３０ｂを通過した信号は合成されて，出力端子３ｂから出力される。出力された信号は，テレビ受信用増幅装置４のＵＨＦ入力端子６ａから該増幅装置に入力される。この時，後から追加された信号，例えば地上ディジタル放送の信号の入力レベルによっては，前記テレビ受信用増幅装置４が入力オーバーとなり，受信画像に妨害が出る場合が考えられる。
【００２９】
実験的に求められた数値で言えば，地上アナログ放送の信号に対して，地上ディジタル放送の信号の方が＋１０ｄＢ程度高い場合は，テレビ受信用増幅装置４に備えられた利得調整回路（図示されていない）の調整によって，歪みの無い受信が可能であるが，地上ディジタル放送の信号が＋１０ｄＢ以上高い場合は，テレビ受信用増幅装置４での対応に加えて地上ディジタル放送の信号を適正レベルにレベル調整しないと，受信画像に妨害が発生する。
本発明のフィルタ装置３を備えたテレビ受信システム１０３によれば，特定の信号であるアナログ放送のｃｈ１９を通過させる第１の信号経路３０ａと，特定の信号以外の信号である地上波デジタル放送のｃｈ１３〜１７及びｃｈ２４を通過させる第２の伝送経路３０ｂとを分岐手段１０ａ，１０ｂを介して並列接続させ，且つ，前記第２の伝送経路３０ｂは，前記分岐手段１０ａ，１０ｂの分岐端子との間に配設したので，上述のように地上波デジタル放送の信号が高すぎる場合であっても，分岐手段１０ａ，１０ｂの結合量によって特定の信号以外の信号のレベルを所定レベル減衰させることによって，テレビ受信用増幅装置４の入力オーバーを防止できるのである。
【００３０】
更に，上述のような新しく地上ディジタル放送が始まることで，当該地上ディジタル放送による妨害が出た地域において，従来からの地上アナログ放送であるｃｈ１９を見るために，伝送線にｃｈ１９専用バンドパスフィルタを介設する対策をする場合と比較すると，専用バンドパスフィルタでの対策では地上ディジタル放送を受信したい場合は，改めて改修工事をする必要が生じるのに対して，本発明のフィルタ装置３を用いれば，いつでも地上ディジタル放送の受信（地上アナログ放送の隣接チャンネルを除く。本発明の例ではｃｈ１８。）に変更が出来る汎用性を備えることが出来るのである。
また本発明の実施例の如くフィルタ手段をユニット化することによって，このような受信システムを必要とする地域におけるチャンネル配列に基づいて，フィルタ手段単体を数種類用意すればよく，これによって生産性の合理化や製品コストの低減が可能となるのである。
尚，本発明において，第１の伝送経路３０ａは，特定の信号であるＵＨＦ帯を通過帯域とし，第２の伝送経路３０ｂは，特定の信号以外の信号であるＵＨＦ帯を通過帯域として示し，それぞれの代表例として，特定の信号をアナログ放送のｃｈ１９，特定の信号以外の信号を地上波デジタル放送のｃｈ１３〜ｃｈ１７及びｃｈ２４信号としたが，これらに限定されるものではなく，利用する周波数帯域や，信号の内容等については適宜最適なものに変更してもよいことは言うまでも無い。またフィルタ手段は夫々必要とする信号を通過するように構成されていれば上記実施例に限定されるものではな。
更に図６（ａ），（ｂ）に示すように，第２の伝送経路はスルー回路とし，前記特定の信号を含む所定範囲の信号を，分岐手段１０ａ及び１０ｂの結合量だけ減衰させるように構成しても良いなど，本発明の趣旨を逸脱しない範囲で各部の構成を適宜に変更して実施することも可能である。
【図面の簡単な説明】
【００３１】
【図１】（Ａ）は本発明に示すフィルタ装置の実施例を示すブロック図であり，（Ｂ）は本発明に示すフィルタ装置の異なる実施例を示すブロック図である。
【図２】図１（Ａ）に示すフィルタ装置の具体的構成例である。
【図３】本発明に係るフィルタ装置の周波数特性の例である。
【図４】本発明に係るテレビ受信用増幅装置のブロック図を示す。
【図５】本発明のフィルタ装置を用いたテレビ受信システムである。
【図６】本発明に係るフィルタ装置の第２の実施形態を示すブロック図である。
【符号の説明】
【００３２】
１…ＶＨＦテレビアンテナ，１ａ…ＶＨＦ入力端子，２ａ・２ｂ・２ｃ・２ｄ・２ｅ…伝送線，３…フィルタ装置，３ａ…入力端子，３ｂ…出力端子，４・４０…テレビ受信用増幅装置，４０ａ・４０ｂ…増幅回路，５…分配器，６…ＵＨＦテレビアンテナ，６ａ…ＵＨＦ入力端子，７ａ・７ｂ・７ｃ・７ｄ…テレビ端子，８…電源装置，９…テレビ受像機，１０…分岐手段，１１…第１の伝送線路の周波数特性，１２…第２の伝送経路の周波数特性，３０ａ…第１の伝送線路，３０ｂ…第２の伝送線路，３１…バンドパスフィルタ（ＢＰＦ），３１ａ…接続端子，３１接続端子，３３…バンドエルミネーションフィルタ（ＢＥＦ），１０１…アナログ放送送信塔，１０２…地上波デジタル放送送信塔，１０３…テレビ受信システム。
【図１】
2006041967.tif 000003
【図２】
2006041967.tif 000004
【図３】
2006041967.tif 000005
【図４】
2006041967.tif 000006
【図５】
2006041967.tif 000007
【図６】
2006041967.tif 000008